(57)【要約】【課題】レンズ鏡筒の周りに配置される部品を含めた全体を小型化することができ、また、全体を大型化することなく、レンズ鏡筒の周りにより大型の部品を配置することができるレンズ鏡筒及びレンズ鏡筒ユニットを提供する。【解決手段】レンズ鏡筒の最外周に設けられ、レンズ鏡筒がモータ１により駆動されても移動しない固定筒２の一部に切り欠き部２ａを設け、その切り欠き部２ａにモータ１及びピニオン４の一部が入り込むように配置する。【選択図】図１
2005173466.tif 000002
【特許請求の範囲】
【請求項１】
少なくとも一部が移動可能な撮影光学系と、
前記撮影光学系の移動時であっても移動しない固定筒と、
を備え、
前記固定筒は、その一部に切り欠き部を有し、
前記切り欠き部を設けることにより生じた空間には、レンズ鏡筒以外の外部部材の一部が配置されていること、
を特徴とするレンズ鏡筒。
【請求項２】
請求項１に記載のレンズ鏡筒において、
前記固定筒は、最外周に設けられていること、
を特徴とするレンズ鏡筒。
【請求項３】
請求項１又は請求項２に記載のレンズ鏡筒において、
前記固定筒は、前記撮影光学系の駆動に必要なカムを有しており、
前記切り欠き部は、前記カムが設けられていない位置に形成されていること、
を特徴とするレンズ鏡筒。
【請求項４】
少なくとも一部が移動可能な撮影光学系と、前記撮影光学系の移動時であっても移動しない固定筒とを備えたレンズ鏡筒と、
前記撮影光学系の移動に必要な駆動力を発生するモータと、
を備え、
前記固定筒は、その一部に切り欠き部を有し、
前記モータの一部は、前記切り欠き部を設けることにより生じた空間に配置されていること、
を特徴とするレンズ鏡筒ユニット。
【請求項５】
請求項４に記載のレンズ鏡筒ユニットにおいて、
前記固定筒は、前記レンズ鏡筒の最外周に設けられていること、
を特徴とするレンズ鏡筒ユニット。
【請求項６】
請求項４又は請求項５に記載のレンズ鏡筒ユニットにおいて、
前記固定筒は、前記撮影光学系の移動に必要なカムを有しており、
前記切り欠き部は、前記カムが設けられていない位置に形成されていること、
を特徴とするレンズ鏡筒ユニット。
【請求項７】
請求項４から請求項６までのいずれか１項に記載のレンズ鏡筒ユニットにおいて、
前記モータが発生する駆動力を前記レンズ鏡筒に伝える駆動力伝達機構を有し、
前記駆動力伝達機構の一部は、前記切り欠き部を設けることにより生じた空間に配置されていること、
を特徴とするレンズ鏡筒ユニット。
【請求項８】
請求項４から請求項７までのいずれか１項に記載のレンズ鏡筒ユニットにおいて、
前記レンズ鏡筒と、
前記モータと、
前記モータが発生する駆動力を前記レンズ鏡筒に伝える駆動力伝達機構と、
前記撮影光学系の結像位置に設けられた撮像素子と、
レンズ鏡筒ユニットの土台となる鏡筒台と、
を有すること、
を特徴とするレンズ鏡筒ユニット。
【発明の詳細な説明】
【技術分野】
【０００１】
本発明は、カメラ、デジタルスチルカメラ等の撮影レンズを含むレンズ鏡筒ユニットであって、特に、モータによって駆動力を得て駆動されるレンズ鏡筒ユニットに関するものである。
【背景技術】
【０００２】
このようなレンズ鏡筒として、例えば、特許文献１に記載されているズーム鏡筒が知られている。
このズーム鏡筒では、固定筒は全周繋がった構成となっている。また、モータは、固定筒を避けた位置に配置され、固定筒は、薄肉であっても繋がった構成となっていた。さらに、モータの駆動力をレンズ鏡筒に伝えるギア等の駆動力伝達機構も固定筒を避けた位置で構成していた。
【０００３】
しかし、特許文献１のズーム鏡筒のように固定筒を全周繋がった構成とすると、モータやギア等をその周りに配置すると、そのレンズ鏡筒を含むカメラ等が全体として大型化してしまうという問題があった。
特に、デジタルスチルカメラ等では、電池寿命を延ばすため、モータの内部抵抗を大きくして、消費電力を下げるという手法が用いられている。この場合、モータの起動トルクが下がるため、モータを大きくして起動トルクを大きくするという傾向にあり、それに伴いレンズ鏡筒を含めたレンズ鏡筒ユニットが大型化してしまい、カメラ全体が大型化するという問題があった。
【特許文献１】特開平１１−１６０６０５号公報
【発明の開示】
【発明が解決しようとする課題】
【０００４】
本発明の課題は、レンズ鏡筒の周りに配置される部品を含めた全体を小型化することができ、また、全体を大型化することなく、レンズ鏡筒の周りにより大型の部品を配置することができるレンズ鏡筒及びレンズ鏡筒ユニットを提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、少なくとも一部が移動可能な撮影光学系（１８ａ〜１８ｃ）と、前記撮影光学系の移動時であっても移動しない固定筒（２）と、を備え、前記固定筒は、その一部に切り欠き部（２ａ）を有し、前記切り欠き部を設けることにより生じた空間には、レンズ鏡筒以外の外部部材（１，４）の一部が配置されていること、を特徴とするレンズ鏡筒である。
【０００６】
請求項２の発明は、請求項１に記載のレンズ鏡筒において、前記固定筒（２）は、最外周に設けられていること、を特徴とするレンズ鏡筒である。
請求項３の発明は、請求項１又は請求項２に記載のレンズ鏡筒において、前記固定筒（２）は、前記撮影光学系（１８ａ〜１８ｃ）の駆動に必要なカム（２ｂ）を有しており、前記切り欠き部（２ａ）は、前記カムが設けられていない位置に形成されていること、を特徴とするレンズ鏡筒である。
【０００７】
請求項４の発明は、少なくとも一部が移動可能な撮影光学系（１８ａ〜１８ｃ）と、前記撮影光学系の移動時であっても移動しない固定筒（２）とを備えたレンズ鏡筒と、前記撮影光学系の移動に必要な駆動力を発生するモータ（１）と、を備え、前記固定筒は、その一部に切り欠き部（２ａ）を有し、前記モータの一部は、前記切り欠き部を設けることにより生じた空間に配置されていること、を特徴とするレンズ鏡筒ユニットである。
【０００８】
請求項５の発明は、請求項４に記載のレンズ鏡筒ユニットにおいて、前記固定筒（２）は、前記レンズ鏡筒の最外周に設けられていること、を特徴とするレンズ鏡筒ユニットである。
請求項６の発明は、請求項４又は請求項５に記載のレンズ鏡筒ユニットにおいて、前記固定筒（２）は、前記撮影光学系（１８ａ〜１８ｃ）の移動に必要なカム（２ｂ）を有しており、前記切り欠き部（２ａ）は、前記カムが設けられていない位置に形成されていること、を特徴とするレンズ鏡筒ユニットである。
請求項７の発明は、請求項４から請求項６までのいずれか１項に記載のレンズ鏡筒ユニットにおいて、前記モータ（１）が発生する駆動力を前記レンズ鏡筒に伝える駆動力伝達機構（４〜７）を有し、前記駆動力伝達機構の一部は、前記切り欠き部（２ａ）を設けることにより生じた空間に配置されていること、を特徴とするレンズ鏡筒ユニットである。
請求項８の発明は、請求項４から請求項７までのいずれか１項に記載のレンズ鏡筒ユニットにおいて、前記レンズ鏡筒と、前記モータ（１）と、前記モータが発生する駆動力を前記レンズ鏡筒に伝える駆動力伝達機構（４〜７）と、前記撮影光学系（１８ａ〜１８ｃ）の結像位置に設けられた撮像素子（２１）と、レンズ鏡筒ユニットの土台となる鏡筒台（３）と、を有すること、を特徴とするレンズ鏡筒ユニットである。
【発明の効果】
【０００９】
本発明によれば、以下の効果を奏することができる。
（１）切り欠き部を設けることにより生じた空間には、レンズ鏡筒以外の外部部材の一部が配置されているので、レンズ鏡筒を含む装置全体を小型にすることができる。
【００１０】
（２）固定筒は、最外周に設けられているので、切り欠き部を設けることにより生じた空間に対して、大型の外部部材であっても容易にその一部を配置することができる。
【００１１】
（３）切り欠き部は、カムが設けられていない位置に形成されているので、レンズ鏡筒の構成を大きく変更することなく容易に本発明を実施することができる。
【００１２】
（４）切り欠き部を設けることにより生じた空間には、モータの一部又は駆動力伝達機構の一部が配置されているので、レンズ鏡筒の駆動に必要な部材を小さくまとめて配置することができ、効率よく装置全体を小型にすることができる。
【発明を実施するための最良の形態】
【００１３】
レンズ鏡筒の周りに配置される部品を含めた全体を小型化し、また、全体を大型化することなく、レンズ鏡筒の周りにより大型の部品を配置するという目的を、固定筒の一部を切り欠くことにより、複雑な構成とすることなく実現した。
【実施例】
【００１４】
図１は、本実施例におけるレンズ鏡筒ユニットの正面図である。
なお、図１及び以下に示す各図では、レンズ鏡筒等の構成部品を簡略化して示している。
また、図１の図面上の上方が、カメラを正位置（横位置）に構えた状態における上方である。
本実施例におけるレンズ鏡筒ユニットは、レンズ鏡筒の他に、モータ１、ピニオン４とギア５〜７とからなる駆動力伝達機構、撮像素子２１、鏡筒台３を有している。
モータ１は、レンズ鏡筒を駆動させる回転駆動力を発生し、レンズ鏡筒下側に配置されている。
【００１５】
モータ１の軸には、ピニオン４が圧入されている。ピニオン４は、ギア５とかみ合っている。ギア５は、その出力側がウォームギアとなっており、出力側がギア６とかみ合っている。ギア６は、入力側がウォームホイールとなっており、出力側が平歯車となっており、出力側がギア７とかみ合っている。ギア７は、回転筒８のギア部８ａ（図２参照）とかみ合っている。したがって、モータ１の回転駆動力は、ピニオン４，ギア５〜７を介して回転筒８に伝わる。
なお、ギア７は歯幅が広く（図１では紙面奥行き方向：光軸方向に沿って長く）なっており、回転筒８が移動してもギア部８ａとかみ合うようになっている。
モータ１，ギア５，６は、鏡筒台３に支持されている。また、ギア７は、固定筒２と鏡筒台３とに支持されている。
【００１６】
鏡筒台３には、固定筒２が固定されている。
固定筒２は、レンズ鏡筒の最外周に設けられており、レンズ鏡筒がモータ１により駆動されても移動しない部材である。固定筒２の下方の一部には、切り欠き部２ａ（図１においてクロスハッチで示す部分）が形成されており、この切り欠き部２ａにモータ１の一部が入り込むように配置されている。
なお、切り欠き部２ａ及びモータ１は、レンズ鏡筒の下方に設けられているが、この位置に限る必要はなく、任意の位置とすることもできる。ただし、カメラでは、レンズ鏡筒の上方に閃光発光装置用の開口部などが設けられている場合が多く、また、太陽光なども通常は上方から差し込むので、レンズ鏡筒内部への漏光等の悪影響を考慮すると、レンズ鏡筒の下方に配置することが望ましい。
【００１７】
従来は、先に説明したように、固定筒の外周から逃がした位置にモータが配置されており、図１のＹ方向に大きくなってしまう問題点があった。本実施例のように、固定筒２の一部を切り欠き、そこにモータ１を配置することにより、Ｘ、Ｙ方向に小型化を図ることが可能となる。また、切り欠き部２ａに、駆動力伝達機構の一部（例えば、ピニオン４，ギア５，６等）を配置すれば、駆動系の小型化を図ることが可能となる。本実施例では、ピニオン４のスリット部４ａが切り欠き部２ａに接するか僅かに入り込むように配置されており、駆動系の小型化が図られている。なお、スリット部４ａは、不図示のフォトインタラプタによってモータ１の回転数を検出するために必要なスリットを有した円盤形状の部分である。
撮像素子２１は、撮影レンズ１８ａ〜ｃにより結像した被写体像を撮像するＣＣＤである。
【００１８】
図２は、レンズ鏡筒ユニットの沈胴状態における断面図である。
図３は、レンズ鏡筒ユニットの使用状態であって望遠端における断面図である。
なお、図２，３では、本発明において重要な切り欠き部２ａに図１と同様にクロスハッチを付し、他の切断面には、図を見易くして形状の理解が容易となるように一部にのみ斜線を付している。また、図２，３には、駆動力伝達機構（ピニオン４及びギア５〜７）及び撮像素子２１は示していない。
【００１９】
モータ１は、図１にも示したように、固定筒２の切り欠き部２ａにその一部が入り込むように配置されており、回転筒８のギア部８ａを避けた位置まで入り込んでいる。
回転筒８は、カムフォロアピン８ｂが固定筒２のカム２ｂに係合しており、このカム２ｂに沿って光軸方向に移動する。直進筒１１，２群レンズ室１４は、カムフォロアピン１１ａ，１４ａが回転筒８のカム８ｃ，８ｄに係合しており、このカム８ｃ，８ｄに沿って移動する。従って、回転筒８がモータ１によって回転すると、回転筒８と直進筒１１と２群レンズ室１４は、それぞれのカムに沿って光軸方向に移動する。
【００２０】
直進筒１１は、１群レンズ室１２を保持している。１群レンズ室１２は、撮影レンズ１８ａを保持している。２群レンズ室１４は、撮影レンズ１８ｂとシャッタ２０を保持している。
３群レンズ室１５は、フォーカスレンズ１８ｃ及びナット１７を保持している。モータ１６が回転すると、その回転軸に固定された送りねじ１６ａとナット１７によって、３群レンズ室１５が光軸方向に移動し、合焦動作を行うことができる。
【００２１】
バリアユニット９は、沈胴時に撮影レンズ１８ａを保護するバリアを開閉する機構を有したユニットである。バリア連動板１９が鏡筒沈胴動作に連動して駆動リング１０を回転させて、この駆動リング１０の回転によってバリアが開閉される。
なお、図２，３では、光軸よりも上側にバリアが閉じた状態を示し、光軸よりも下側にバリアが開いた状態を示しているが、実際の動作は、沈胴状態（図２）においてバリアが閉じ、使用状態（図３）においてバリアが開くようになっている。
直進キー筒１３は、円周３箇所に設けられた爪部１３ａ（図５参照）により回転筒８の溝部８ｅにスナップフィットにより取り付けられており、直進筒１１と２群レンズ室１４を回転しないように直進ガイドする。
【００２２】
図４は、固定筒２を展開して内周側から見た図である。
固定筒２の内周には、回転筒８のカムフォロアピン８ｂが係合するカム２ｂが円周３箇所に形成されている。このカム２ｂを避けた位置に切り欠き部２ａが形成されている。
カムフォロアピン８ｂがカム２ｂのＡ位置に在ると沈胴状態であり、Ｂ位置に在ると使用状態の広角端であり、Ｃ位置に在ると使用状態の望遠端である。
直進ガイド溝２ｃは、直進キー筒１３のフランジ部１３ｃ（図５参照）が係合する直進ガイド用の溝である。
【００２３】
図５は、レンズ鏡筒の主要な構成を示した斜視図である。
バリア連動板１９は、爪部１９ａが直進キー筒１３の穴部１３ｂにスナップフィットにより取り付けられる。
また、直進キー筒１３の２箇所のフランジ部１３ｃは、固定筒２の直進ガイド溝２ｃ（図４参照）によって光軸方向にガイドされる。
回転筒８のカムフォロアピン８ｂは、円周等分３箇所に設けられており、固定筒２の内周面に形成されたカム２ｂに係合しており、回転筒８は、このカム２ｂに沿って移動する。
【００２４】
直進筒１１には、駆動リング１０、バリアユニット９が組み込まれ、回転筒８の内周面に形成されたカム（不図示）にカムフォロアピン１１ａが係合する。同じく、２群レンズ室１４もカムフォロアピン１４ａが円周等分３箇所に設けられており、回転筒８の内周面に形成されたカム（不図示）に係合する。
１群レンズ室１２は、直進筒１１の内部に組み込まれる。
【００２５】
レンズ鏡筒の駆動は、モータ１から回転筒８に設けられたギア部８ａに回転駆動力を伝え、回転筒８を回転させることにより行われる。回転筒８が回転すると直進キー筒１３に直進ガイドされながら固定筒２のカムに沿って回転筒８が光軸方向に移動する。また、同時に直進筒１１と２群レンズ室１４は、回転筒８のカムに沿って光軸方向に移動し、所定の光学配置に移動することとなる。このように、本実施例のレンズ鏡筒は、モータ１の回転によって沈胴状態、使用状態（広角端状態〜望遠端状態）等の状態に変化する。
【００２６】
本実施例によれば、レンズ鏡筒の最外周に設けられ、レンズ鏡筒がモータ１により駆動されても移動しない固定筒２の一部に切り欠き部２ａを設け、その切り欠き部２ａにモータ１の一部が入り込むように配置したので、レンズ鏡筒ユニットを大きくすることなく大型のモータを搭載することができる。また、大型のモータを使用しない場合には、レンズ鏡筒ユニットをより小型にすることができる。
【００２７】
（変形例）
以上説明した実施例に限定されることなく、種々の変形や変更が可能であって、それらも本発明の均等の範囲内である。
例えば、本実施例において、切り欠き部２ａを設けることにより生じた空間にモータ１及びピニオン４を配置した例を示したが、これに限らず、例えば、電池，メインコンデンサ等の他の電気部品等を配置してもよい。
また、本実施例において、撮像素子２１を有した所謂デジタルスチルカメラに使用するレンズ鏡筒及びレンズ鏡筒ユニットの例を挙げて説明したが、これに限らず、フィルムカメラに使用するレンズ鏡筒及びレンズ鏡筒ユニットであってもよい。
【図面の簡単な説明】
【００２８】
【図１】本実施例におけるレンズ鏡筒ユニットの正面図である。
【図２】レンズ鏡筒ユニットの沈胴状態における断面図である。
【図３】レンズ鏡筒ユニットの使用状態であって望遠端における断面図である。
【図４】固定筒２を展開して内周側から見た図である。
【図５】レンズ鏡筒の主要な構成を示した斜視図である。
【符号の説明】
【００２９】
１  モータ
２  固定筒
２ａ  切り欠き部
２ｂ  カム
２ｃ  直進ガイド溝
３  鏡筒台
４  ピニオン
５，６，７  ギア
８  回転筒
８ａ  ギア部
８ｂ  カムフォロアピン
８ｃ，８ｄ  カム
８ｅ  溝部
９  バリアユニット
１０  駆動リング
１１  直進筒
１１ａ  カムフォロアピン
１２  １群レンズ室
１３  直進キー筒
１３ａ  爪部
１３ｂ  穴部
１３ｃ  フランジ部
１４  ２群レンズ室
１４ａ  カムフォロアピン
１５  ３群レンズ室
１６  モータ
１７  ナット
１８ａ  撮影レンズ
１８ｂ  撮影レンズ
１８ｃ  フォーカスレンズ
１９  バリア連動板
１９ａ  爪部
２０  シャッタ
【図１】
2005173466.tif 000003
【図２】
2005173466.tif 000004
【図３】
2005173466.tif 000005
【図４】
2005173466.tif 000006
【図５】
2005173466.tif 000007